(57)【要約】【課題】  農園芸において用いられる棒状の農園芸用支柱を複数用いる場合にこれを相互に連結するための農園芸用支柱連結具に関し、農園芸用支柱に取り付ける際の設置の自由度を高めるとともに、農園芸用支柱を複数用いる場合にこれを農園芸用容器内に立設するための農園芸用支柱立設具に関し、農園芸用容器内に立設する際の設置の自由度を高める。【解決手段】  農園芸用支柱連結具１は、柔軟性のあるテープ状の部材によって形成されており、取付孔列１ａと、切断案内部１ｂと、調節目印１ｃとが設けられている。農園芸用支柱立設具２は、農園芸用支柱連結具１を利用する農園芸用支柱立設具であり、柔軟性のある細長の平板状の部材によって形成されており、その一端側が取付孔列２ｃを設けた取付部２ａになっているとともに、その他端側が農園芸用容器Ｂ内の培養材Ｃに挿入するための挿入部２ｂになっている。【選択図】      図１
2016198042.tif 000002
【特許請求の範囲】
【請求項１】
農園芸において用いられる棒状の農園芸用支柱を複数用いる場合にこれを相互に連結するための農園芸用支柱連結具であって、柔軟性のあるテープ状の部材によって形成されており、取付孔列と切断案内部とが設けられており、該取付孔列は、農園芸用支柱を挿通して取り付くための少なくとも二箇所以上の孔部から構成されており、該農園芸用支柱連結具の短手方向に沿って直線状に設けられていて、該農園芸用支柱連結具の短手方向に沿って少なくとも二条以上並行して設けられており、該切断案内部は、該農園芸用支柱連結具を切断してその長さを調節する際にその切断を案内するための案内部であって、少なくとも一条が該テープ状の部材の短手方向に沿って直線状に設けられており、該取付孔列と該取付孔列との間に設けられていることを特徴とする農園芸用支柱連結具。
【請求項２】
請求項１に係る農園芸用支柱連結具であって、前記切断案内部が少なくとも二条以上並行して設けられているとともに、該切断案内部には該農園芸用支柱連結具を切断してその長さを調節する際の目安にするための調節目印が設けられていることを特徴とする農園芸用支柱連結具。
【請求項３】
農園芸において用いられる棒状の農園芸用支柱を複数用いる場合にこれを農園芸用容器内に立設するための農園芸用支柱立設具であって、請求項１に記載した農園芸用支柱連結具を利用する農園芸用支柱立設具であり、柔軟性のある細長の平板状の部材によって形成されており、その一端側が農園芸用支柱に取り付くための取付部になっているとともに、その他端側が農園芸用容器内の培養材に挿入するための挿入部になっており、該取付部には取付孔列が設けられており、該取付孔列は、農園芸用支柱を挿通して取り付くための少なくとも二個以上の孔部から構成されており、該農園芸用支柱立設具の長手方向に沿って直線上に設けられていることを特徴とする農園芸用支柱立設具。
【発明の詳細な説明】
【技術分野】
【０００１】
本発明は、農園芸において用いられる棒状の農園芸用支柱を複数用いる場合にこれを相互に連結するための農園芸用支柱連結具、及び該農園芸用支柱を複数用いる場合にこれを植木鉢やプランター等の農園芸用容器内に立設するための農園芸用支柱立設具に関する。
【背景技術】
【０００２】
農園芸用支柱は単体でこれを農園芸用容器内に立設すると転倒し易いため、複数の農園芸用支柱を相互に連結して農園芸用容器内に立設することにより転倒し難くすることが行われている。
【０００３】
また、植木鉢の縁部近傍に複数の農園芸用支柱を立設し、輪状に形成した針金等のリング状の部材を該農園芸用支柱に複数取り付けてこれを連結し、アサガオ等の蔓性植物を巻き付けながら育成し行灯のように仕立てる農作物の育成方法が実施されている。
【０００４】
上記のような農園芸用支柱を相互に連結する手段としては、従来、縦方向に複数の係止突起を等間隔に設けた多角形状の農園芸用支柱と、複数の孔部を設けた帯状のテープ部材とからなる園芸用具（例えば、特許文献１参照。）が提案されているとともに、一端に係止具を取り付けたバンド部材の外面に、該バンド部材を周回させた時に放射対称となる数組の突起を突設し、その突起に上下面に連通した農園芸用支柱を挿入するための孔部を設けた植木鉢用支柱取付バンド（例えば、特許文献２参照。）が提案されている。
【０００５】
また、上記のような農園芸用支柱を農園芸用容器の縁部近傍に立設する手段としては、従来、農園芸用容器内に収容されている土壌等の培養材に挿入するための挿入部が全体として長方形であってその先端部が尖っている平板状の部材である仕立用支柱（例えば、特許文献３参照。）が提案されている。
【先行技術文献】
【特許文献】
【０００６】
【特許文献１】特開２０１４−１４３４７号公報
【特許文献２】実開昭６３−２８３３８号公報
【特許文献３】特開２０１２−１７５９７０号公報
【発明の概要】
【発明が解決しようとする課題】
【０００７】
しかしながら、上記の従来技術に係る農園芸用支柱連結具は、農園芸用支柱において係止突起を設けた箇所にしかテープ部材を取り付けることができず（例えば、特許文献１参照。）、またバンド部材に設けられた農園芸用支柱を挿入するための孔部の間隔を調節することができない（例えば、特許文献２参照。）ため、農園芸用支柱に農園芸用支柱連結具を取り付ける際の設置の自由度が低いという問題があった。
【０００８】
そこで、本発明が解決しようとする第一の課題は、農園芸用支柱を複数用いる場合にこれを相互に連結するための農園芸用支柱連結具に関し、農園芸用支柱に取り付ける際の設置の自由度を高めた農園芸用支柱連結具を提供することにある。
【０００９】
また、上記の従来技術に係る農園芸用支柱立設具は、培養材に挿入するための挿入部が農園芸用支柱と一体になっているから（例えば、特許文献３参照。）、培養材に深く挿入しないと安定的に立設することができず、その結果として特に植木鉢の内側面のように内部に向かって傾斜している農園芸用容器の側面近傍や底の浅いプランターに収容された培養材のように厚みのない培養材には安定的に立設することができないといったように農園芸用容器内に農園芸用支柱連結具を立設する際の設置の自由度が低いという問題があった。
【００１０】
そこで、本発明が解決しようとする第二の課題は、農園芸用支柱を複数用いる場合にこれを農園芸用容器内に立設するための農園芸用支柱立設具に関し、農園芸用容器内に立設する際の設置の自由度を高めた農園芸用支柱立設具を提供することにある。
【課題を解決するための手段】
【００１１】
本発明は、上記の各課題を解決するために提案されたものであり、以下の構成を有するものである。以下では、本発明の構成を理解することを補助するために、本願に添付した図面に表示した番号及び符号をあわせて記載する。
【００１２】
請求項１に記載した農園芸用支柱連結具（１）は、農園芸において用いられる棒状の農園芸用支柱（Ａ）を複数用いる場合にこれを相互に連結するための農園芸用支柱連結具であって、柔軟性のあるテープ状の部材によって形成されており、取付孔列（１ａ）と切断案内部（１ｂ）とが設けられている。取付孔列（１ａ）は、農園芸用支柱（Ａ）を挿通して取り付くための少なくとも二箇所以上の孔部から構成されており、農園芸用支柱連結具（１）の短手方向に沿って直線状に設けられていて、農園芸用支柱連結具（１）の短手方向に沿って少なくとも二条以上並行して設けられている。切断案内部（１ｂ）は、農園芸用支柱連結具（１）を切断してその長さを調節する際にその切断を案内するための案内部であって、少なくとも一条が該テープ状の部材の短手方向に沿って直線状に設けられており、取付孔列（１ａ）と取付孔列（１ａ）との間に設けられている。
【００１３】
請求項２に記載した農園芸用支柱連結具（１）は、請求項１に係る農園芸用支柱連結具であって、切断案内部（１ｂ）が少なくとも二条以上並行して設けられているとともに、切断案内部（１ｂ）には農園芸用支柱連結具（１）を切断してその長さを調節する際の目安にするための調節目印（１ｃ）が設けられている。
【００１４】
請求項３に記載した農園芸用支柱立設具（２）は、農園芸において用いられる棒状の農園芸用支柱（Ａ）を複数用いる場合にこれを農園芸用容器（Ｂ）内に立設するための農園芸用支柱立設具であって、請求項１に記載した農園芸用支柱連結具を利用する農園芸用支柱立設具であり、柔軟性のある細長の平板状の部材によって形成されており、その一端側が農園芸用支柱（Ａ）に取り付くための取付部（２ａ）になっているとともに、その他端側が農園芸用容器（Ｂ）内の培養材（Ｃ）に挿入するための挿入部（２ｂ）になっている。取付部（２ａ）には取付孔列（２ｃ）が設けられており、取付孔列（２ｃ）は、農園芸用支柱（Ａ）を挿通して取り付くための少なくとも二個以上の孔部から構成されており、農園芸用支柱立設具（２）の長手方向に沿って直線上に設けられている。
【発明の効果】
【００１５】
本発明に係る農園芸用支柱連結具 、及びこれを利用する農園芸用支柱立設具は、上記の通りの構成であるから、以下のような効果を奏することができる。
【００１６】
まず、請求項１に記載した農園芸用支柱連結具（１）は、柔軟性のあるテープ状の部材であって、取付孔列（１ａ）が設けられているため、使用者は農園芸用容器（Ｂ）内の所望の位置に複数本の農園芸用支柱（Ａ）を設置した後、農園芸用支柱（Ａ）において農園芸用支柱連結具（１）を取り付ける所望の位置を決め、農園芸用支柱連結具（１）を短手方向にお互いに向き合うように湾曲させながら、取付孔列（１ａ）を形成する孔部に農園芸用支柱（Ａ）を挿通して農園芸用支柱（Ａ）に取り付ける作業を行うことによって、複数の農園芸用支柱（Ａ）を連結することができる。
【００１７】
また、農園芸用支柱連結具（１）は、切断案内部（１ｂ）が設けられているため、使用者は農園芸用支柱連結具（１）を用いて農園芸用支柱（Ａ）を連結するに際し、所望の長さでこれを切断してその長さを自在に調節することができる。
【００１８】
従って、請求項１に記載した農園芸用支柱連結具は、農園芸用支柱を複数用いる場合にこれを相互に連結するための農園芸用支柱連結具に関し、農園芸用支柱に取り付ける際の設置の自由度を高めた農園芸用支柱連結具を提供するという本発明の第一の課題を解決することができる。
【００１９】
特に、請求項２に記載した農園芸用支柱連結具（１）は、切断案内部（１ｂ）が少なくとも二条以上並行して設けられているとともに、調節目印（１ｃ）が設けられているため、使用者は調節目印（１ｃ）を目安にすることで農園芸用支柱連結具（１）を切断しその長さを適当に調節することができるため、上記の本発明の第一の課題を解決するのに好適である。
【００２０】
次に、請求項３に記載した農園芸用支柱立設具（２）は、柔軟性のある長尺の平板状の部材であって、取付孔列（２ｃ）が設けられているため、取付部（２ａ）を長手方向にお互いに向き合うように湾曲させながら、取付孔列（２ｃ）に農園芸用支柱（Ａ）を挿通して農園芸用支柱（Ａ）の下端部に取り付けることができる。
【００２１】
また、農園芸用支柱立設具（２）は、柔軟性のある細長の平板状の部材であって、挿入部（２ｂ）が設けられているため、挿入部（２ｂ）を農園芸用容器（Ｂ）内の培養材（Ｃ）に挿入することによって、農園芸用支柱（Ａ）を農園芸用容器（Ｂ）内の培養材（Ｃ）に深く挿入することなく安定的に立設することができるため、特に植木鉢の内側面のように内部に向かって傾斜している農園芸用容器（Ｂ）の側面近傍や底の浅いプランター内の培養材のように厚みのない培養材にも安定的に設置することができる。
【００２２】
尚、農園芸用支柱立設具（２）は、農園芸用支柱連結具（１）とあわせて用いるものであるところ、農園芸用支柱（Ａ）は農園芸用支柱連結具（１）によって連結されているため、農園芸用支柱（Ａ）が農園芸用支柱立設具（２）の長手方向に転倒することを防止できる。
【００２３】
従って、請求項３に記載した農園芸用支柱立設具は、農園芸用支柱を複数用いる場合にこれを農園芸用容器内に立設するための農園芸用支柱立設具に関し、農園芸用容器内の立設する際の設置の自由度を高めた農園芸用支柱立設具を提供するという本発明の第二の課題を解決することができる。
【００２４】
そして、本発明に係る農園芸用支柱連結具（１）、及びこれを利用する農園芸用支柱立設具（２）と、農園芸用支柱（Ａ）とは別個に形成されていることから、これらを農園芸において使用しない場合には分解した状態で場所をとることなくコンパクトに保管しておくことができ、またこれらを農園芸において使用する場合には上記のようにして簡便に組み立てることができ、好適である。
【図面の簡単な説明】
【００２５】
【図１】本発明の一実施形態に係る農園芸用支柱連結具及び農園芸用支柱立設具の作用説明図である。
【図２】本発明の一実施形態に係る農園芸用支柱連結具の正面図である。
【図３】本発明の一実施形態に係る農園芸用支柱連結具を農園芸用支柱に取り付けた状態を示した断面図である。
【図４】本発明の一実施形態に係る農園芸用支柱立設具の正面図である。
【図５】本発明の一実施形態に係る農園芸用支柱立設具を農園芸用支柱に取り付けた状態を示した断面図である。
【発明を実施するための形態】
【００２６】
まず、本発明の一実施形態に係る農園芸用支柱連結具（１）の構造について添付図面に基づいて説明する。
【００２７】
農園芸用支柱連結具（１）は、農園芸において用いられる棒状の農園芸用支柱（Ａ）を複数用いる場合にこれを相互に連結するための農園芸用支柱連結具であって、柔軟性のあるテープ状の部材によって形成されており、例えば帯状に形成されたビニル樹脂製の部材等を用いることができる。
【００２８】
農園芸用支柱連結具（１）には、図２に図示するように、取付孔列（１ａ）と、切断案内部（１ｂ）と、調節目印（１ｃ）とが設けられている。
【００２９】
取付孔列（１ａ）は、図２に図示するように、農園芸用支柱（Ａ）を挿通して取り付くための複数の孔部から構成されており、農園芸用支柱連結具（１）の短手方向に沿って直線状に設けられている。取付孔列（１ａ）を構成する複数の孔部は、図では二箇所設けられているが、少なくとも二箇所設けられていれば、その数は特に限定されない。また、取付孔列（１ａ）は、図２に図示するように、農園芸用支柱連結具（１）の短手方向に沿って複数条並行して設けられている。取付孔列（１ａ）は、図では多数条設けられているが、少なくとも二条設けられていれば、その数は特に限定されない。尚、取付孔列（１ａ）を構成する複数の孔部の形状は、図示するように正面視長円状に形成したりあるいは正面視菱形状に形成したりして、該孔部の中央部から上下部に向って窄んだ形状にすると、取付孔列（１ａ）に農園芸用支柱（Ａ）を挿通した際に、農園芸用支柱連結具（１）が左右に傾斜することを防止して農園芸用支柱（Ａ）に安定的に取り付けることができ好適である。
【００３０】
切断案内部（１ｂ）は、農園芸用支柱連結具（１）を切断してその長さを調節する際に切断を案内するための案内部であって、図２に図示するように、農園芸用支柱連結具（１）の短手方向に沿って直線状に複数設けられており、取付孔列（１ａ）と取付孔列（１ａ）との間に設けられている。切断案内部（１ｂ）は、図では複数条設けられているが、少なくとも一条設けられていれば、その数は特に限定されない。切断案内部（１ｂ）は、図示するような溝状の凹部によって形成することができるが、例えば直線状に連続する小孔等の別の態様によって形成することもできる。
【００３１】
切断案内部（１ｂ）には農園芸用支柱連結具（１）を切断してその長さを調節する際の目安にするための調節目印（１ｃ）が設けられている。調節目印（１ｃ）は様々な態様が考えられるが、図２に図示するように、切断案内部（１ｂ）を溝状の凹部によって形成した場合には、切断案内部（１ｂ）に更に長方形状の小孔を設けることによって調節目印（１ｃ）とすることができ、また切断案内部（１ｂ）を直線状に連続する小孔等によって形成した場合には該小孔の形状を変更することによって調節目印（１ｃ）とすることもできる。調節目印（１ｃ）は、図では切断案内部（１ｂ）の四条おきに設けられているが、所望の箇所に設けることができる。また、切断案内部（１ｃ）の態様は図示するように均一のものとしてもよいが、例えば四条おきに長方形状の小孔を設けるとともに九条おきに正円状の小孔を設ける等して、調節目印（１ｃ）を設ける位置に応じてその形態を適宜変更することもできる。
【００３２】
以上が、本発明の一実施形態に係る農園芸用支柱連結具（１）の構造についての説明である。次に、本発明の一実施形態に係る農園芸用支柱立設具（２）の構造について添付図面に基づいて説明する。
【００３３】
農園芸用支柱立設具（２）は、農園芸用支柱（Ａ）を複数用いる場合にこれを農園芸用容器（Ｂ）内に立設するための農園芸用支柱立設具であって、上記の農園芸用支柱連結具（１）を利用する農園芸用支柱立設具であり、柔軟性のある細長の平板状の部材によって形成されており、例えば細長の平板状に形成されたビニル樹脂製の部材等を用いることができる。
【００３４】
農園芸用支柱立設具（２）は、図４に図示するように、その一端側が農園芸用支柱（Ａ）に取り付くための取付部（２ａ）になっているとともに、その他端側が農園芸用容器（Ｂ）内の培養材（Ｃ）に挿入するための挿入部（２ｂ）になっている。挿入部（２ｂ）は、図示するように先端に向って尖った形状にすると、培養材（Ｃ）に挿入し易くなって好適である。
【００３５】
取付部（２ａ）には取付孔列（２ｃ）が設けられており、取付孔列（２ｃ）は、図４に図示するように、農園芸用支柱（Ａ）を挿通して取り付くための複数の孔部からなり、農園芸用支柱立設具（２）の長手方向に沿って直線上に設けられている。取付孔列（２ｃ）を構成する複数の孔部は、図では二箇所設けられているが、少なくとも二箇所設けられていれば、その数は特に限定されない。尚、取付孔列（２ｃ）を構成する複数の孔部の形状は、図示するように正面視長円状に形成したりあるいは正面視菱形状に形成したりして、該孔部の中央部から上下部に向って窄んだ形状にすると、取付孔列（２ｃ）に農園芸用支柱（Ａ）を挿通した際に、農園芸用支柱連結具（１）が左右に傾斜することを防止して農園芸用支柱（Ａ）に安定的に取り付けることができ好適である。
【００３６】
以上が、本発明の一実施形態に係る農園芸用支柱立設具（２）についての説明である。次に、上記のような本発明の一実施形態に係る農園芸用支柱連結具（１）及び農園芸用支柱立設具（２）の使用態様について添付図面に基づいて説明する。
【００３７】
使用者は、まず、図５に図示するように、取付部（２ａ）を農園芸用支柱立設具（２）の長手方向にお互いに向き合うように湾曲させながら、取付孔列（２ｃ）に農園芸用支柱（Ａ）を挿通して、農園芸用支柱（Ａ）の下端部に農園芸用支柱立設具（２）を取り付ける。そして、使用者は、挿入部（２ｂ）を農園芸用容器（Ｂ）内の培養材（Ｃ）に挿入して、農園芸用容器（Ｂ）内の所望の位置に複数本の農園芸用支柱（Ａ）を設置する。農園芸用支柱立設具（２）は、図１に図示するように、農園芸用支柱（Ａ）を農園芸用容器（Ｂ）内の培養材（Ｃ）に深く挿入することなく安定的に立設することができるため、特に内部に向かって傾斜している農園芸用容器（Ｂ）の側面近傍にも設置することができ、好適である。
【００３８】
次に、使用者は、調節目印（１ｃ）を目安にして所望の長さの位置にある切断案内部（１ｂ）に沿って農園芸用支柱連結具（１）を切断しその長さを適当に調節する。そして、使用者は、図３に図示するように、農園芸用支柱（Ａ）において農園芸用支柱連結具（１）を取り付ける所望の位置を決めると、農園芸用支柱連結具（１）を短手方向にお互いに向き合うように湾曲させながら、取付孔列（１ａ）を形成する孔部に農園芸用支柱（Ａ）を挿通して農園芸用支柱（Ａ）に農園芸用支柱連結具（１）を取り付ける。使用者は、この取付け作業を農園芸用支柱（Ａ）毎に行うことによって、図１に図示するように、農園芸用支柱連結具（１）によって複数の農園芸用支柱（Ａ）を連結することができる。尚、図１では農園芸用支柱連結具（１）は単体で用いられているが、複数用いることも可能である。また、図１では農園芸用支柱（Ａ）は二本用いられているが、これを三本以上用いることももちろん可能である。
【符号の説明】
【００３９】
１  農園芸用支柱連結具
１ａ  取付孔列
１ｂ  切断案内部
１ｃ  調節目印
２  農園芸用支柱立設具
２ａ  取付部
２ｂ  挿入部
２ｃ  取付孔列
Ａ  農園芸用支柱
Ｂ  農園芸用容器
Ｃ  培養材
【図１】
2016198042.tif 000003
【図２】
2016198042.tif 000004
【図３】
2016198042.tif 000005
【図４】
2016198042.tif 000006
【図５】
2016198042.tif 000007